(57)【要約】【課題】  取り付けを簡単に且つ短時間で行うことができるエクステンションの取り付け方法を提供する。【解決手段】  エクステンション３に引き解け結びでループ３ｇを作る。次に、複数本の自毛を束ねた自毛束２に前記ループ３ｇを通して地肌近くでループ３ｇを収縮させ、自毛束２がＶ字形に折り曲がるようにエクステンションと絡ませて結着部４を作る。その後にエクステンション３と自毛束２とを編み込んで編み込み部５を作り、編み込み部５に弾性糸６を巻き付けて固定する。【選択図】      図１３
2006340906.tif 000002
【特許請求の範囲】
【請求項１】
エクステンションに引き解け結びでループを作る工程と、
複数本の自毛を束ねた自毛束に前記ループを通して地肌近くでループを収縮させ、自毛束がＶ字形に折り曲がるようにエクステンションと絡ませて結着部を作る工程と、
エクステンションと自毛束とを編み込んで編み込み部を作る工程と、
編み込み部に弾性糸を巻き付けて固定する工程と
を含むエクステンションの取り付け方法。
【請求項２】
前記編み込み部に弾性糸を巻き付けて固定する工程が、弾性糸を二つ折りして折り返し部分である一端側にＵ字部を作り、二つ折りした弾性糸の途中部を前記編み込み部に巻き付けた後に前記Ｕ字部に他端側を通して引っ張ることにより前記Ｕ字部を収縮させる工程を含む請求項１に記載のエクステンションの取り付け方法。
【発明の詳細な説明】
【技術分野】
【０００１】
本発明は、自毛へのエクステンションの取り付け方法に関する。
【背景技術】
【０００２】
エクステンションとは、複数本の人毛、人工毛髪用繊維等を束にした、いわゆる「付け毛」のことであり、近頃特に若い女性の間で、ショートヘアーに自毛と同じ色のエクステンションを自毛に取り付けてロングヘアーにしたり、自毛とは異なる色のエクステンションをポイント的につけたりすることにより気軽にファッションを楽しむために利用されている。
【０００３】
エクステンションは、従来からチップ等を用いる方法、接着剤を用いる方法、自毛とエクステンションとを編み込む方法等を用いて自毛に取り付けられている。
チップを用いる方法は、ニードルという鍵針を用いてチップに自毛を通し、そのチップの隙間にエクステンションを通した後にニッパーでチップを潰すことにより固定する方法であるが、取れやすく、取り付け持続期間が短く、また自毛をチップで切断してしまうという欠点がある。接着剤を用いる方法は、エクステンションの先端に熱で溶かした接着剤を付け、自毛と融着させる方法であるが、接着剤を使用しているために自毛が痛みやすく、また接着部分がドライヤー等の熱で柔らかくなり、根元で自毛とエクステンションとが団子状に絡んでしまうために取り付け持続期間が短く、さらに取り外しに手間及び時間がかかるという欠点がある。
【発明の開示】
【発明が解決しようとする課題】
【０００４】
そこで取り付け持続期間が長い方法として、自毛とエクステンションとを編み込む方法、例えば三つ編み及び四つ編みが利用されている。三つ編み及び四つ編みは自毛束２本の間にエクステンション１本を挟んで編み込み、その編み込んだ部分に弾性糸を巻き付けて固定する方法であり、編み込みだけでエクステンションと自毛とを絡ませるためにどうしても取り付け部分が長くなり、そのために取り付けに時間がかかるという欠点がある。
本発明はこのような事情に鑑みてなされたものであり、編み込み方式にもかかわらず、取り付けを簡単に且つ短時間で行うことができるエクステンションの取り付け方法を提供することを目的としている。
【課題を解決するための手段】
【０００５】
本発明のエクステンションの取り付け方法は、エクステンションに引き解け結びでループを作る工程と、複数本の自毛を束ねた自毛束に前記ループを通して地肌近くでループを収縮させ、自毛束がＶ字形に折り曲がるようにエクステンションと絡ませて結着部を作る工程と、エクステンションと自毛束とを編み込んで編み込み部を作る工程と、編み込み部に弾性糸を巻き付けて固定する工程とを含むことを特徴としている。
この取り付け方法によれば、エクステンションに予めループを作り、そのループに自毛束を通して収縮させて強く絡ませた後に編み込むので、編み込み部分を短くすることができるため、取り付けが簡単で且つ短時間に行うことができる。
【０００６】
前記エクステンションの取り付け方法において、編み込み部に弾性糸を巻き付けて固定する工程が、弾性糸を二つ折りして折り返し部分である一端側にＵ字部を作り、二つ折りした弾性糸の途中部を前記編み込み部に巻き付けた後に前記Ｕ字部に他端側を通して引っ張ることにより前記Ｕ字部を収縮させる工程を含むことが好ましい。
弾性糸を二つ折りにした状態で巻き付けることにより、巻き付ける回数が少なくてすみ、作業時間の短縮につながる。さらに、巻き付けた後にＵ字部に他端側を通して引っ張ることにより前記Ｕ字部を収縮させるので、固定部分の強度を上げることができ、エクステンションがさらに取れにくくなる。
【発明の効果】
【０００７】
本発明の取り付け方法によれば、エクステンションの取り付けを簡単に且つ短時間で行うことができる。
【発明を実施するための最良の形態】
【０００８】
以下、添付図面を参照しつつ、本発明のエクステンションの取り付け方法の実施形態を説明する。図１〜図１３は、エクステンションの自毛への取り付け工程を示す説明図である。
本発明のエクステンションの取り付け方法は、まず、エクステンション３の途中に引き解け結びで自毛を通すためのループを作る。より詳しくは、エクステンション３は、接着剤で毛が固定されている固定部７を含む根元部３ａと、固定されていない毛先部３ｂからなり、このエクステンション３を例えば一人の作業者が左手に持ち、図１に示すように、根元部３ａが毛先部３ｂの上になるように交差させ、その交差部３ｃを左手の親指及び人差し指で押さえる。この状態で交差によってできたエクステンションの第１の輪３ｄの中にこの紙の表から裏に向かって右手の親指及び人差し指を入れて、根元部３ａにおける交差部３ｃと固定部７との中間付近をつまんでこの紙の裏から表に向かって第１の輪３ｄの中を通す（図１の矢印参照）とＵ字部３ｅ及び第２の輪３ｆができ（図２参照）、左手の親指と人差し指とで根元部３ａと毛先部３ｂとを押さえながら、右手でそのままＵ字部３ｅを引っ張ると第２の輪３ｆが小さくなり、図３に示すようにループ３ｇ及び結び目３ｈができる。
【０００９】
次に、ループ３ｇを有するエクステンション３を自毛に取り付ける。すなわち、地肌１から約５ｍｍ四方の自毛（約５０〜１００本）を引き出して自毛束２とし、この自毛束２を図３のエクステンション３のループ３ｇに通し、ループ３ｇを地肌近くまで移動させる（図４参照）。この時、エクステンションの根元部３ａと毛先部３ｂとは左手で持ち、自毛束２を右手で持つ。
【００１０】
この状態でエクステンションの根元部３ａを軽く引っ張って（図４の矢印参照）ループ３ｇを小さくし、根元部３ａを右手側に移動させ、根元部３ａを右手の親指と人差し指とでつかんで右に、毛先部３ｂを左手の親指と人差し指とでつかんで左に同時に引っ張ると、自毛束２とエクステンション３とが自毛束２がＶ字形に折り曲がりながら絡まって結着部４ができる（図５参照）。この時、左手の親指と人差し指で結び目３ｈを押さえながら、残りの指で毛先側３ｂを持っておくと、地肌に近いところで自毛束２とエクステンション３とを絡ませることができる。
【００１１】
この際予めエクステンション３に引き解け結びでループ３ｇを作っているので、自毛束２への取り付けが簡単に行える。また、引き解け結びでループ３ｇを作ったエクステンション３一本と自毛束２一本とを、自毛束２がＶ字形に折り曲がるように絡ませているので、エクステンション３と自毛束２とを非常に強力に結着させることができる。このため、エクステンション３が自毛束２から外れにくく、エクステンション３を取り付けた状態を長時間持続させることができる。
【００１２】
次に、結着部４を左手の親指と人差し指で押さえつつ、自毛束２の中間部２ａとエクステンションの根元部３ａと毛先部３ｂとを２〜３回三つ編みに編み込んで編み込み部５を作る（図６参照）。
そして、編み込み部５に弾性糸（糸ゴム）６を巻き付けて固定する。糸ゴム６の巻き付け方は、図７に示すように、糸ゴム６を二つに折りたたみ、折り返し部分である一端側のＵ字部６ａに左手の薬指に引っ掛け、左手の親指と人差し指とで編み込み部分５及び糸ゴム６の中間部６ｂを押さえる。この状態で二つ折りした糸ゴム６の途中部６ｃ１、６ｃ２を右手で反時計回りに（図８の矢印参照）２回程度編みこみ部５の周りを巻き付ける（図８参照）。
その後、左手の薬指からＵ字部６ａを外し（図９参照）、Ｕ字部６ａに途中部６ｃ１、６ｃ２を通し（図９の矢印参照）、途中部６ｃ１、６ｃ２を引っ張ってＵ字部６ａを収縮させて糸ゴム６に固定部６ｄを作る（図１０参照）。そして、途中部６ｃ１、６ｃ２のいずれか一方（６ｃ１）を時計回りに、他方（６ｃ２）を反時計回りに巻き付けて２回程度結び（図１１参照）、結び目近くで糸ゴム６を鋏等で切断する（図１２参照）。
最後にエクステンション３の固定部７を鋏等で切断して、一本のエクステンション３の自毛への取り付けが完了する（図１３参照）。
【００１３】
上記のように、エクステンション３と自毛束２とで結着部４を作った後に編み込みを行うため、編み込み部分を三つ編み等のように長くする必要がなく、取り付け時間が短くなる。そして、糸ゴム６を二つ折りにして巻き付けることにより、巻き付ける回数が少なくてすむため、さらに作業時間の短縮につながる。さらに、巻き付けた後に途中部６ｃ１、６ｃ２をＵ字部６ａに通して引っ張ることにより、固定部６ｄの強度を上げることができ、エクステンション３がさらに取れにくくなる。そしてこの取り付け方法により得られる取り付け部分は非常に小さい球体状をしているので、他の自毛と絡みにくく手入れがしやすいという効果が得られる。また、取り付け持続期間も長く、取り外しも簡単に行うことができる。取り外しは、例えば、糸ゴム６の固定部６ｄを右手の親指の爪と人指し指とではさんで下に引っ張るか又は糸ゴムの結び目６ｅを鋏等で切断して糸ゴム６を取り除き、エクステンション３の根元部３ａを下に引っ張ればよい。
【００１４】
前記した取り付け方法によれば、エクステンションの取り付けを簡単に且つ短時間で行うことができる。本方法は簡単な方法であるため、技術習得が容易であり、仕上がりに個人差がでないという効果も得られる。そしてこの取り付け方法によれば、得られる取り付け部分は非常に小さい球体状となるため、違和感がなく取り付け後の手入れがしやすい。また、根元がつる感じがなく、頭皮に負担がかからないので薄毛になりにくい。
なお、本発明において、前述の実施形態に限らず、本発明の範囲内で適宜変更が可能である。前述の実施形態においては弾性糸として糸ゴムを使用しているが、糸ゴムに限定されるものではなく、弾性材料でできた糸であれば何を使用してもよい。
【図面の簡単な説明】
【００１５】
【図１】本発明に係るエクステンションの自毛への取り付け工程を示す説明図であり、エクステンションを交差させた状態を示している。
【図２】エクステンションにループを作る途中の状態を示す説明図である。
【図３】ループ及び結び目を有するエクステンションを示す説明図である。
【図４】自毛束にエクステンションのループを通した状態を示す説明図である。
【図５】自毛束とエクステンションとを絡ませて結着部ができた状態を示す説明図である。
【図６】結着部の下に編み込み部ができた状態を示す説明図である。
【図７】編み込み部に糸ゴムを巻き付ける途中の段階を示す説明図である。
【図８】編み込み部に糸ゴムを巻き付ける途中の段階を示す説明図である。
【図９】編み込み部に糸ゴムを巻き付ける途中の段階を示す説明図である。
【図１０】編み込み部の表面に糸ゴムの固定部ができた状態を示す説明図である。
【図１１】糸ゴムを結ぶ途中の段階を示す説明図である。
【図１２】余分な糸ゴムを切断した後の状態を示す説明図である。
【図１３】エクステンションの固定部を切断し、エクステンションの取り付けが完了した状態を示す説明図である。
【符号の説明】
【００１６】
１    地肌
２    自毛束
３    エクステンション
３ａ  根元部
３ｂ  毛先部
３ｇ  ループ
４    結着部
５    編み込み部
６    糸ゴム
７    固定部
【図１】
2006340906.tif 000003
【図２】
2006340906.tif 000004
【図３】
2006340906.tif 000005
【図４】
2006340906.tif 000006
【図５】
2006340906.tif 000007
【図６】
2006340906.tif 000008
【図７】
2006340906.tif 000009
【図８】
2006340906.tif 000010
【図９】
2006340906.tif 000011
【図１０】
2006340906.tif 000012
【図１１】
2006340906.tif 000013
【図１２】
2006340906.tif 000014
【図１３】
2006340906.tif 000015